(57)【要約】【課題】  簡単且つ小型な構成で、カードシートから複数のカードを打ち抜く時に、カード切断面の接着剤のはみ出しを防止することができるカードシートと、カードの打ち抜き装置と、カードの打ち抜き方法の提供。【解決手段】  表裏最外層と、該最外層の間に少なくとも１層の中間層とを有し、打ち抜くべき複数のカードが配列されたカードシートから、１ストロークで少なくとも２のカードを打ち抜く、カードの打ち抜き方法において、前記カードの打ち抜き時に前記カードシートの中間層に発生する応力を、打ち抜こうとする隣り合うカードの間から抑制或いは解放しながら打ち抜く工程を含むことを特徴とするカードの打ち抜き方法。【選択図】        なし【特許請求の範囲】
【請求項１】
表裏最外層と、該最外層の間に少なくとも１層の中間層とを有し、打ち抜くべき複数のカードが配列されたカードシートから、１ストロークで少なくとも２のカードを打ち抜く、カードの打ち抜き方法において、
前記カードの打ち抜き時に前記カードシートの中間層に発生する応力を、打ち抜こうとする隣り合うカードの間から抑制或いは解放しながら打ち抜く工程を含むことを特徴とするカードの打ち抜き方法。
【請求項２】
表裏最外層と、該最外層の間に少なくとも１層の中間層とを有し、打ち抜くべき複数のカードが配列されたカードシートにおいて、
前記カードの打ち抜き時に中間層に発生する応力を解放する手段を、隣り合う当該カードの間に有することを特徴とするカードシート。
【請求項３】
前記中間層の少なくとも１層は接着剤を含む接着層であることを特徴とする請求項２に記載のカードシート。
【請求項４】
前記中間層の少なくとも１層は表層の材料に比べて小さい弾性係数を有する材料を含むことを特徴とする請求項２に記載のカードシート。
【請求項５】
前記小さい弾性係数を有する材料は接着剤を含むことを特徴とする請求項４に記載のカードシート。
【請求項６】
前記応力を解放する手段は、隣り合うカードの間に設けられた、前記カードシートの厚さ方向に、一方の最外層表面から少なくとも前記接着層まで達する開口であることを特徴とする請求項２〜５のいずれか１項に記載のカードシート。
【請求項７】
前記開口は、隣り合うカード方向の幅が０．０５〜１ｍｍで、隣り合うカード間で配置が途切れるように設定された長さを有することを特徴とする請求項２〜６に記載のカードシート。
【請求項８】
表裏最外層と、該最外層の間に少なくとも１層の中間層とを有し、打ち抜くべき複数のカードが配列されたカードシートにおいて、
前記中間層が接着剤を含む接着層を有し、隣り合うカードの間に、少なくとも一方の最外層から前記接着層まで貫通する開口を有することを特徴とするカードシート。
【請求項９】
カード形状の複数の孔部を設けたダイと、前記複数の孔部の内部に挿脱自在に嵌合する複数のパンチとを有し、打ち抜くべき複数のカードを配列した表裏最外層と該最外層との間に少なくとも１層以上の中間層とを有するカードシートから、１ストロークで複数のカードを打ち抜く打ち抜き装置において、
前記複数のカードの隣り合うカードの間に設けた開口と隣り合う孔部の間の領域との、隣り合うカード方向の位置を合わせる位置決め手段を有することを特徴とするカードの打ち抜き装置。
【請求項１０】
カード形状の複数の孔部を設けたダイと、前記複数の孔部の内部に挿脱自在に嵌合する複数のパンチとを有し、打ち抜くべき複数のカードを配列した表裏最外層と該最外層との間に少なくとも１層以上の中間層とを有するカードシートから、１ストロークで複数のカードを打ち抜く打ち抜き装置において、
１ストロークで複数のカードを打ち抜く前記複数のパンチのうち、少なくとも隣り合うパンチと前記ダイとの距離がそれぞれ異なっていることを特徴とするカードの打ち抜き装置。
【請求項１１】
カード形状の複数の孔部を設けたダイと、前記複数の孔部の内部に挿脱自在に嵌合する複数のパンチと、前記パンチの周辺部に設けられたストリッパー、又は、該ストリッパーと前記孔部の内部を移動可能な受け台とを有し、打ち抜くべき複数のカードを配列した表裏最外層と該最外層との間に少なくとも１層以上の中間層とを有するカードシートから１ストロークで複数のカードを打ち抜く打ち抜き装置において、
前記複数のカードの隣り合うカードの間に設けた開口と隣り合う孔部の間の領域との、隣り合うカード方向の位置を合わせる位置決め手段と、前記ストリッパーを前記カードシートに向けて所定の付勢力で付勢するストリッパー付勢手段、又は、前記ストリッパーと前記受け台をそれぞれ前記カードシートと前記パンチに向けて所定の付勢力で付勢するストリッパー付勢手段と受け台付勢手段、を有することを特徴とするカードの打ち抜き装置。
【請求項１２】
前記所定の付勢力は前記カードシートの接着層を構成する接着剤の応力増加を抑制し、変形させない大きさであることを特徴とする請求項１１に記載のカードの打ち抜き装置。
【発明の詳細な説明】
【技術分野】
【０００１】
本発明は、打ち抜き前のＩＣカード等のカードを複数配列したカードシート、カードシートからカードを打ち抜くカードの打ち抜き装置、及び、カードの打ち抜き方法に関する。
【背景技術】
【０００２】
一般に、ＩＣカード、クレジットカード、プリペイドカード等のカードの製造装置として、打ち抜き前のカードを複数配列したカードシートから複数のパンチ／ダイで複数枚のカードを同時に打ち抜くカードの打ち抜き装置が知られている。
【０００３】
しかし、例えば２枚のシートの間に複数のＩＣモジュールを接着剤等により封止したカードシートから、ＩＣカードを打ち抜いて製造するような場合、打ち抜き時に切り粉やヒゲが発生しやすいという問題があり、この問題を解決する方法として、接着剤の縦弾性係数を打ち抜きしやすい所定の数値内に納めるために接着剤の硬化率を所定値内に調整し、調整済みの接着剤層を含むカードシートを打ち抜くことにより、この切り粉やヒゲを軽減しようとしたＩＣカードが提案されている（例えば特許文献１参照）。
【０００４】
また、打ち抜き装置にカードシートを押さえるストリッパーを設け、ストリッパーのダイに対する平行度を出しやすくし、カード打ち抜き時にストリッパーでシートを出来るだけ均一に押さえ、反り・うねりを軽減し、切り粉やヒゲの発生を軽減しようとする打ち抜き装置が提案されている（例えば、特許文献２参照）。
【特許文献１】特開２００４−１６４３４５号公報
【特許文献２】特開平１０−１６６３００号公報
【発明の開示】
【発明が解決しようとする課題】
【０００５】
しかしながら、特許文献１に記載の発明は、接着剤の硬化率を所定値に調整するために所定値に硬化させるための硬化炉を必要とし、装置の複雑化、大型化、を免れず、且つ炉内温度を制御する温度制御手段が必要になってしまうという問題がある。
【０００６】
又、特許文献２に記載の発明は、ストリッパーを設けシートのうねり等を矯正することによってうねり等が起因のヒゲの発生等は防止できても、打ち抜き時にパンチがシートを押圧することによる接着剤の切断面からのはみ出しを防止することはできないという問題点がある。
【０００７】
本発明は上述した問題に鑑みてなされたもので、その目的は、簡単且つ小型な構成で、カードシートから複数のカードを打ち抜く時に、カード切断面の接着剤のはみ出しを防止することができるカードシートと、カードの打ち抜き装置と、カードの打ち抜き方法を提供することにある。
【課題を解決するための手段】
【０００８】
本発明は、少なくとも３層の層構成を有し複数のカードが配列されたカードシートにおいて、表裏最外層の間に位置する層である中間層内の応力が、打ち抜き時のパンチによる押圧のため増加して、増加した応力により打ち抜き時に中間層に含まれる材料が切断面からはみ出してしまうことを、応力の増加を打ち抜き中に解放或いは抑制することにより中間層の切断面からの材料のはみ出しを防止しようとするものである。
【０００９】
本発明の目的は下記の請求項に記した発明により達成することが出来る。
【００１０】
（請求項１）表裏最外層と、該最外層の間に少なくとも１層の中間層とを有し、打ち抜くべき複数のカードが配列されたカードシートから、１ストロークで少なくとも２のカードを打ち抜く、カードの打ち抜き方法において、
前記カードの打ち抜き時に前記カードシートの中間層に発生する応力を、打ち抜こうとする隣り合うカードの間から抑制或いは解放しながら打ち抜く工程を含むことを特徴とするカードの打ち抜き方法。
【００１１】
（請求項２）表裏最外層と、該最外層の間に少なくとも１層の中間層とを有し、打ち抜くべき複数のカードが配列されたカードシートにおいて、
前記カードの打ち抜き時に中間層に発生する応力を解放する手段を、隣り合う当該カードの間に有することを特徴とするカードシート。
【００１２】
（請求項３）前記中間層の少なくとも１層は接着剤を含む接着層であることを特徴とする請求項２に記載のカードシート。
【００１３】
（請求項４）前記中間層の少なくとも１層は表層の材料に比べて小さい弾性係数を有する材料を含むことを特徴とする請求項２に記載のカードシート。
【００１４】
（請求項５）前記小さい弾性係数を有する材料は接着剤を含むことを特徴とする請求項４に記載のカードシート。
【００１５】
（請求項６）前記応力を解放する手段は、隣り合うカードの間に設けられた、前記カードシートの厚さ方向に、一方の最外層表面から少なくとも前記接着層まで達する開口であることを特徴とする請求項２〜５のいずれか１項に記載のカードシート。
【００１６】
（請求項７）前記開口は、隣り合うカード方向の幅が０．０５〜１ｍｍで、隣り合うカード間で配置が途切れるように設定された長さを有することを特徴とする請求項２〜６に記載のカードシート。
【００１７】
（請求項８）表裏最外層と、該最外層の間に少なくとも１層の中間層とを有し、打ち抜くべき複数のカードが配列されたカードシートにおいて、
前記中間層が接着剤を含む接着層を有し、隣り合うカードの間に、少なくとも一方の最外層から前記接着層まで貫通する開口を有することを特徴とするカードシート。
【００１８】
（請求項９）カード形状の複数の孔部を設けたダイと、前記複数の孔部の内部に挿脱自在に嵌合する複数のパンチとを有し、打ち抜くべき複数のカードを配列した表裏最外層と該最外層との間に少なくとも１層以上の中間層とを有するカードシートから、１ストロークで複数のカードを打ち抜く打ち抜き装置において、
前記複数のカードの隣り合うカードの間に設けた開口と隣り合う孔部の間の領域との、隣り合うカード方向の位置を合わせる位置決め手段を有することを特徴とするカードの打ち抜き装置。
【００１９】
（請求項１０）カード形状の複数の孔部を設けたダイと、前記複数の孔部の内部に挿脱自在に嵌合する複数のパンチとを有し、打ち抜くべき複数のカードを配列した表裏最外層と該最外層との間に少なくとも１層以上の中間層とを有するカードシートから、１ストロークで複数のカードを打ち抜く打ち抜き装置において、
１ストロークで複数のカードを打ち抜く前記複数のパンチのうち、少なくとも隣り合うパンチと前記ダイとの距離がそれぞれ異なっていることを特徴とするカードの打ち抜き装置。
【００２０】
（請求項１１）カード形状の複数の孔部を設けたダイと、前記複数の孔部の内部に挿脱自在に嵌合する複数のパンチと、前記パンチの周辺部に設けられたストリッパー、又は、該ストリッパーと前記孔部の内部を移動可能な受け台とを有し、打ち抜くべき複数のカードを配列した表裏最外層と該最外層との間に少なくとも１層以上の中間層とを有するカードシートから１ストロークで複数のカードを打ち抜く打ち抜き装置において、
前記複数のカードの隣り合うカードの間に設けた開口と隣り合う孔部の間の領域との、隣り合うカード方向の位置を合わせる位置決め手段と、前記ストリッパーを前記カードシートに向けて所定の付勢力で付勢するストリッパー付勢手段、又は、前記ストリッパーと前記受け台をそれぞれ前記カードシートと前記パンチに向けて所定の付勢力で付勢するストリッパー付勢手段と受け台付勢手段、を有することを特徴とするカードの打ち抜き装置。
【００２１】
（請求項１２）前記所定の付勢力は前記カードシートの接着層を構成する接着剤の応力増加を抑制し、変形させない大きさであることを特徴とする請求項１１に記載のカードの打ち抜き装置。
【発明の効果】
【００２２】
請求項１に記載の発明によれば、カードシートからカードを打ち抜く時に、中間層に発生する応力を解放することにより、カード切断面からの接着剤のはみ出しを防止可能とするカードの打ち抜き方法を提供することが可能となる。
【００２３】
請求項２〜８に記載の発明によれば、中間層に発生する応力を解放する手段、即ち前記カードシートの厚さ方向に一方の最外層表面から少なくとも前記接着層まで達する開口を設けることにより、カード切断面の接着剤のはみ出しを防止可能としたカードシートを提供することが可能となる。
【００２４】
請求項９〜１１に記載の発明によれば、上記カードシートを使用可能とすることにより、カード切断面の接着剤のはみ出しを防止した打ち抜き装置を提供することが可能となる。
【００２５】
請求項１２に記載の発明によれば、ストリッパー等の押圧を所定の押圧力に押さえ、ストリッパー部における接着層の応力の上昇を抑制することにより、カード切断面の接着剤のはみ出しを防止した打ち抜き装置を提供することが可能となる。
【発明を実施するための最良の形態】
【００２６】
以下の実施の形態における断定的な説明は、ベストモードを示すものであって、本発明の用語の意義や技術的範囲を限定するものではない。また、各図において同一の機能のものは同一の番号を記してある。
【００２７】
図１は従来の打ち抜きを説明する図である。
【００２８】
先ず、本発明の説明を分かりやすくするため従来のカードの打ち抜きについて説明する。
【００２９】
１５２は打ち抜き装置のパンチ、１０２はパンチ１５２が嵌合する孔部を有する打ち抜き装置のダイ、Ｓ’は３層からなるカードシートで、上下層はＰＥＴ（ポリエチレンテレフタレート）等よりなるシートで構成され、中間層に接着剤からなる接着層３０２を有している。
【００３０】
図１（ａ）に示すように、パンチ１５２のダイ１０２の孔部に向けての作動により、パンチ１５２がカードシートＳ’に当接してから打ち抜き完了直前までの打ち抜き中に、カードシートＳ’はパンチ１５２により押圧力Ｆを受けて、接着層３０２には押圧力Ｆに応じた応力ｆが発生する。そして、応力ｆの解放場所がないためパンチ１５２の下降に応じて応力ｆが高まる。
【００３１】
この応力ｆはパンチ１５２が隣り合って配置されている部分Ｅで、例えば一方のパンチ１５２ａと他方のパンチ１５２ｂの間で、両側のパンチから押圧力Ｆを受けるため応力の逃げ場がなく特に顕著に表れる。
【００３２】
そして、図１（ｂ）に示すように、更にパンチ１５２が下降してカードシートＳ’が打ち抜かれると、打ち抜かれたカードＣのそれまで高まっていた接着層３０２の応力が打ち抜き面（以下切断面と記す）から解放されるため、解放時に打ち抜かれたカードＣの切断面から接着剤がはみ出してしまっていた。
【００３３】
そして、このはみ出した接着剤がダイの孔部表面にこすられてヒゲ等の発生原因となっていた。
【００３４】
以下に、本発明の実施の形態の一例として、少なくとも表裏の最外層、接着層の３層構成を有し、複数のカードが配列されたカードシート、及び、該カードシートの打ち抜き装置、及びカードシートの打ち抜き方法について、例えばＩＣカードの場合を例に取り図を参照しながら説明する。
【００３５】
図２は、ＩＣカードシート、及びＩＣモジュール、及びＩＣカードを示す説明図である。
【００３６】
先ず図２を参照して、本発明に係るＩＣカードシートについて説明する。
【００３７】
図２（ａ）において、ＳはＩＣカードシート（以下ＩＣカードシートをカードシートと記す）で、打ち抜くべきＩＣカード（以下ＩＣカードをカードと記す）を複数配列し、３層以上よりなり、表裏最外層と該最外層の間に少なくとも１層の中間層とを有しており、例えば、表裏の最外層を形成するＰＥＴ等の樹脂材料よりなる第１のシート３０３とＰＥＴ等の樹脂材料よりなる第２のシート３０４と、第１のシート３０３と第２のシート３０４との間に位置して中間層を形成し、第１のシート３０３と第２のシート３０４に比べて小さい弾性係数を有する例えばホットメルト等の接着剤を含む接着層３０２と、から構成されている。
【００３８】
そして、接着層３０２は、複数のＩＣモジュール３０１と、ＩＣモジュール３０１を第１のシート３０３と第２のシート３０４との間に封止し、且つ第１のシート３０３と第２のシート３０４を接着するための接着剤と、を有している。
【００３９】
ここで、中間層の材料は例えばある容器に材料を一杯に満たした状態で、容器の一部に圧力を掛けた時、容器の全面にわたり圧力に応じた応力を発生する材料で、いわゆる封止剤として機能するものであれば、接着剤でなくとも良い。以下接着剤にこのような材料を含め接着剤と記す。
【００４０】
３０３ａは、打ち抜こうとする複数のＩＣモジュール３０１に対応した位置、即ちカードの打ち抜き予定位置に応じて第１のシート３０３に印刷等により形成されたＩＣカード用の図柄を示す。
【００４１】
図２（ｂ）において、ＩＣモジュール３０１は、ＩＣチップ３０１ａとループアンテナ３０１ｂとを有している。
【００４２】
図２（ｄ）は図２（ｃ）のＡＡ部分断面で、図２（ｃ）、（ｄ）において、開口３０５は、カードの打ち抜き時にカードシートＳの中間層に発生する応力を解放する手段（換言すれば応力の増加を抑制する手段）であり、隣り合うカード（１Ｃに対し２Ｃ、２Ｃに対し３Ｃ、３Ｃに対し４Ｃ）の間の中央に位置し、カードシートＳの厚さ方向に一方の最外層表面ＳＨから少なくとも接着層３０２まで達する点線で示す深さを有している。
【００４３】
開口３０５は、幅が０．０５〜１ｍｍ好ましくは０．１〜０．５ｍｍで、隣り合うカード間で配置が途切れているように設定された長さを有するスリットとなっている。
【００４４】
上記の幅より狭いと、スリット断面同士が接触し押圧の解放作用（接着剤のスリット内への移動）が少なく、或いはなくなりヒゲの原因となり、広すぎると通常時に接着剤がスリットからはみ出し、カードが汚れる原因となってしまう。
【００４５】
ここで、隣り合うカード間で配置が途切れるように設定した長さとは、複数のカードに亙る連続したスリットでないことを言い、好ましくはカードの長さの１／２以上でカードより若干長い長さ以下の長さを指している。
【００４６】
ここで、開口３０５は、図２（ｄ）に示す一点鎖線のようにカードシートＳを貫通するものでも良い。
【００４７】
また、開口３０５の位置は打ち抜こうとする隣り合うカード間の中央からいずれかに偏った位置でも良い。
【００４８】
また、その形状は矩形、正方形、円、楕円、多角形でも良く、更に、連続した開口でなくとも例えば点線状の間欠した開口や、複数の間欠した楕円や矩形の開口であっても良い。
【００４９】
また、Ｃはカードの打ち抜き装置（不図示）により打ち抜かれたＩＣカードを示している。
【００５０】
ここで、打ち抜くカードの形状は矩形、正方形、円、楕円、多角形、その他不定形等、であっても良い。
【００５１】
図３は、ＩＣカードをパンチ／ダイにより打ち抜いている状態を説明する図である。
【００５２】
以下本発明のカードの打ち抜きについてその概念を説明する。
【００５３】
図３（ａ）に示すように、パンチ１５２のダイ１０２に向けての作動により、パンチ１５２がカードシートＳに当接してから打ち抜き完了直前までの打ち抜き時に、カードシートＳは押圧力Ｆを受けて、接着層３０２には押圧力Ｆに応じた応力ｆが発生しようとする。
【００５４】
しかし、接着層内に高まりつつある応力ｆにより、接着剤は応力を解放する手段である開口３０５内に押し出され、高まりつつある応力を解放する。換言すれば応力の増加を抑制する。
【００５５】
そして、図３（ｂ）に示すように、更にパンチ１５２が下降してカードシートＳが打ち抜かれた時点では、接着剤が開口３０５内に押し出され、高まりつつある応力が解放されているので、打ち抜かれたＩＣカードＣの切断面から接着剤がはみ出すこともない。
【００５６】
このため、ヒゲ等の発生が防止可能となっている。
【００５７】
次に、カードを打ち抜くカードの打ち抜き装置の一例として、カードシートからカードを打ち抜くカードの打ち抜き装置を例に取り図面を参照しながら説明する。
【００５８】
図４はカードの打ち抜き装置の平面図、図５は図４のＡ−Ａ断面図である。
【００５９】
図４において、カードの打ち抜き装置１は、不図示の送り装置によりカードシートＳを開口３０５の長手方向と平行な方向（図示下向き）に、ＩＣカードＣの配列ピッチに応じて間欠的に送り、カードシートＳから製品であるカードＣを、カードシートＳの搬送方向と直角方向に１列（本実施の形態においては５枚）ずつ１ストロークで打ち抜いていくものである。
【００６０】
上述したようにカードシートＳには打ち抜くべき複数のカードが配列されており、表裏最外層と該最外層との間に少なくとも１層以上の中間層とを有している。
【００６１】
そして、隣り合うカード（１Ｃに対し２Ｃ、２Ｃに対し３Ｃ、３Ｃに対し４Ｃ、４Ｃに対し５Ｃ）の間に設けたカードシートＳの中間層に発生する応力を解放する手段で、カードシートＳの厚さ方向に一方の最外層表面から少なくとも接着層まで達する開口３０５を有している。
【００６２】
図５、４において、１はカードの打ち抜き装置で、下型１００はカードと同一形状の孔部を複数設けたダイ１０２を有している。
【００６３】
上型１５０は複数の孔部内に挿脱自在に嵌合する複数のパンチを有し、不図示のプレスの駆動手段により上下動し、下型１００に対して開閉する。
【００６４】
下型１００は、下側基板１０１と、下側基板１０１上にボルト等により固定された、上面が平面形状のダイ１０２と、ダイ１０２或いは下側基板１０１に固定された位置決め手段１１１等とで構成されている。
【００６５】
ダイ１０２には、カードシートＳの搬送方向（図示表裏方向）に対して直角方向に１列に並ぶように、カードの形状をなす垂直方向のダイ孔部１０３が、例えば５個形成され、上型１５０の下降により１ストロークで１列に並んだ５枚のカード１Ｃ〜５Ｃを打ち抜くようになっている。
【００６６】
そして、位置決め手段１１１は、複数のカードの隣り合うカードの間に設けた開口３０５と、隣り合う孔部の間の領域Ｈとの、隣り合うカード方向（矢印Ｆ方向と直角方向）の位置を合わせるカードシートＳのサイドガイドで構成され、位置決め手段１１１は、複数のダイ孔部１０３の隣り合うダイ孔部（例えば１０３ａに対し１０３ｂ、１０３ｂに対し１０３ｃ、１０３ｃに対し１０３ｄ、１０３ｄに対し１０３ｅ）の間の領域Ｈの中央に、カードシートＳの中間層に発生する応力を解放する手段である開口３０５が位置するような位置（隣り合うカード方向）に固定されている。
【００６７】
上型１５０は、５個のパンチ１５２と、当該５個のパンチをボルト等により一体的に固定した上側基板１５１等により構成されている。
【００６８】
パンチ１５２の下方部は、ダイ１０２のダイ孔部１０３の上部に挿脱自在に嵌合する。
【００６９】
１５３は、上型１５０の左右の端部に、下方に向いて固定されたガイドポストであり、下側基板１０１に装着されたスライドベアリング１１０に摺動自在に嵌合している。
【００７０】
図６はパンチの高さを変えた、カードの打ち抜き装置の説明図である。
【００７１】
次に、別の実施形態である、開口を有しない通常のカードシートを用いても、打ち抜き装置内部で打ち抜きタイミングをずらすことにより中間層に発生する応力を抑制し、ヒゲ等の発生を防止するカードの打ち抜き装置について説明する。
【００７２】
パンチの高さ以外については図５を参照して説明したカードの打ち抜き装置と同様なため、以下にパンチの構成について図６を用いて説明する。
【００７３】
パンチ１５２のカードシートの打ち抜き面（図示下面）とダイ１０２との高さ（図示上下方向）が隣り合うパンチ間（例えば１５２ｄと１５２ｅ間、１５２ｅと１５２ｆ間、１５２ｆと１５２ｇ間、１５２ｇと１５２ｈ間）で異なっている。
【００７４】
そして、隣り合うパンチの高さの差は、最外層の表面から少なくとも接着層までの厚さと同じ寸法を有している。また、カードシートの厚さ以上の高さの差としても良い。
【００７５】
図６では、一方から他方に向けて順番に高い構成としたが、奇数のパンチの場合は中央のパンチを一番高くし、周辺に行くに従い順番に低くなるようにしても良い。
【００７６】
また、２のパンチを１組とし、複数組のパンチの一方を高く他方を低くするようにしても良い。この場合、複数組のパンチの内隣り合うパンチは高さが違うものを組み合わせる。
【００７７】
例えば隣り合ったパンチ１５２ｄと１５２ｅとが同時にカードシートを押圧することによって両側のパンチから押圧力Ｆを受けるため応力の逃げ場がなくなることもなくなる。
【００７８】
即ち、打ち抜き装置内部で打ち抜きタイミングをずらすことにより中間層に発生する応力を抑制し、ヒゲ発生の防止を図ることが可能となる。
【００７９】
図７はストリッパーとカードの受け台を設けた、カードの打ち抜き装置の説明図である。
【００８０】
図７において、上側基板１５１にはパンチ周囲のカードシートＳをダイ１０２に押圧するストリッパー１６０が取り付けられ、下型１００には打ち抜かれたカードを受ける受け台１０４が取り付けられている。
【００８１】
この構成により、カードをパンチ１５２と受け台１０４の間に保持した状態で打ち抜き、カードを打ち抜いた穴部１０３に打ち抜いたＩＣカードを一旦嵌め込み、カードが嵌め込まれた状態でカードシートを搬送し、嵌め込んだカードを別の位置で回収するプッシュバック方式のカードの打ち抜き装置を構成することが可能となりヒゲの発生防止と打ち抜きの生産性を上げることが可能となる。
【００８２】
以下詳細に説明すると、１０４は、ダイ孔部１０３に摺動自在に嵌合するカードＣの受け台であり、連結棒１０５を介して、ストッパ１０６に結合されている。
【００８３】
ストッパ１０６は、受け台１０４をパンチ１５２に向けて所定の付勢力で付勢する受け台付勢手段である第１バネ１０７により上方に付勢され、ダイ１０２に形成された下型段差部１０８に当接している。ストッパ１０６が下型段差部１０８に当接した状態では、受け台１０４の上面がダイ１０２の上面と同じ高さになるよう構成されている。
【００８４】
連結棒１０５は、下側基板１０１に形成された垂直方向のガイド孔１０９に不図示のベアリングを介して上下方向に移動する。
【００８５】
上型１５０に設けられてカードシートＳをダイ１２０に押圧する複数のストリッパー１６０は、各パンチ１５２の下方部を囲み、かつ、各々独立に上下方向に移動出来るように配設されている。
【００８６】
図８は図７のストリッパー部の拡大図である。
【００８７】
図８において、１６２はストリッパー１６０の四隅に固定されたガイドピンで、上側基板１５１に固定されたスライドベアリング１６３に、上下方向に移動自在に嵌合している。
【００８８】
このため、ストリッパー１６０は独立して前記シート面に対して垂直方向に移動可能となっている。
【００８９】
そして、上側基板１５１とストリッパー板１６０Ａとの間に装着されて、ストリッパー１６０をカードシートＳに向けて所定の付勢力で付勢するストリッパー付勢手段である第２バネ１６４により、ダイ１０２側に付勢させている。
【００９０】
ガイドピン１６２の上端部のフランジ部１６５が上側基板１５１に形成された上型段差部１６６に当接することにより、ストリッパー１６０は下方への移動が規制されている。
【００９１】
フランジ部１６５が、上型段差部１６６に当接した状態では、ストリッパー１６０の下面は、パンチ１５２の下面より下方になるように構成されている。
【００９２】
また、第１バネ１０７と第２バネ１６４のカードシートＳを押圧する所定の付勢力は前記カードシートＳの接着層３０２を構成する接着剤を変形させない大きさを有している。
【００９３】
即ち、ストリッパー１６０と受け台１０４とは、第１バネ１０７と第２バネ１６４の付勢力を所定の値にすることで、カードシートの接着層を構成する接着剤の応力増加を抑制する作用を有している。
【００９４】
ここで、他の実施の形態として、上述した、ストリッパー１６０のみを設けても良く、ストリッパー１６０を有するカードの打ち抜き装置は、カードシートＳに反りやうねりがあってもストリッパー１６０でパンチ周辺の反りやうねりを押さえてカードを打ち抜くことができるため、安定した打ち抜きが可能となる。
【００９５】
図９はカードの打ち抜き装置のスリット打ち抜き手段でシートに開口をあける実施形態の説明図である。
【００９６】
開口を有しない通常のカードシートを用いても、打ち抜き装置内部で打ち抜き時に開口を自動的にあけることにより中間層に発生する応力を解放し、ヒゲ等の発生を防止するカードの打ち抜き装置を提供しようとするものである。
【００９７】
構成としては、図５を参照して説明したカードの打ち抜き装置に、中間層に発生する応力を解放する手段であるスリット打ち抜き手段１２０を付加したものであり、以下、付加したスリット打ち抜き手段１２０について説明する。
【００９８】
上型１５０はパンチ１５２と、中間層に発生する応力を解放する手段であるスリット打ち抜き手段１２０を有しており、スリット打ち抜き手段１２０は、各パンチの間に設けられ、カードシートＳにスリット状の開口をあける刃１２１と、刃１２１をシート方向に付勢するバネ等の弾性部材１２２とを有している。
【００９９】
その作用について説明すると、図９（ａ）に示すように、上型１５０のダイ１０２に向けての作動（矢印）により、パンチ１５２が下降してカードシートＳに当接する。
【０１００】
この時、上型１５０に設けられたスリット打ち抜き手段１２０も下降して同時或いは若干前に刃１２１の刃先がカードシートＳに当接する。
【０１０１】
そして、上型１５０の下降によりパンチ１５２はカードシートＳを押圧することにより打ち抜きを開始し、刃１２１の刃先はカードシートＳに食い込み始める。
【０１０２】
図９（ｂ）に示すように、更に上型１５０が下降して、パンチ１５２がカードシートＳの接着層３０２まで食い込む以前に刃１２０の刃先は接着層３０２まで食い込み、接着層３０２の応力の増加を抑制、（解放）する。
【０１０３】
刃１２１がダイ１０２と当接すると、刃１２１は弾性部材１２２によりそれ以上は下降しない。又、刃１２１がダイ１０２と当接する部分のダイ表面には刃の破損を防止する樹脂部材（不図示）が設けられている。
【０１０４】
図１０はカードの打ち抜き方法の一例を示すフロー図である。
【０１０５】
次に、カードの打ち抜き方法について説明する。
【０１０６】
本発明の打ち抜き方法は、カードの打ち抜き時に発生するカードシートの中間層に発生する応力を、打ち抜こうとする隣り合うカードの間から抑制或いは解放しながら打ち抜く工程を含むことを特徴とするものであり、以下に詳細を図１０、５を参照して説明する。
【０１０７】
下型１００及び上型１５０が開いた状態で、カードシートＳが搬送され所定位置に停止する。（ＳＴ１０）
上型１５０が上昇端である初期位置から下降を開始し、上型１５０の下降によりパンチ１５２がカードシートＳに当接する。（ＳＴ１１）
上型１５０の下降の継続によりパンチ１５２はカードシートＳを押圧して打ち抜き始める。
【０１０８】
そして、カードの打ち抜き時に発生するカードシートの中間層に発生する応力を、打ち抜こうとする隣り合うカードの間から抑制或いは解放しながら打ち抜く。
【０１０９】
即ち、打ち抜き時にパンチ１５２の押圧により発生する接着層３０２の内部の応力が、接着層内の接着剤を、打ち抜こうとする隣り合うカードの間に位置する開口３０５の内部に移動させ、これにより応力の解放（応力の増加の抑制）が図られる。（ＳＴ１２）
上型１５０の下降継続により、パンチ１５２はカードシートＳを打ち抜き始める。
【０１１０】
そしてこの時もＳＴ１２と同様に、接着層内の接着剤を、開口３０５の内部に移動させ、応力の解放（増加の抑制）が図られる。（ＳＴ１３）
上型１５０の更なる下降により、パンチ１５２はカードシートＳを打ち抜き終わる。（ＳＴ１４）
上型１５２は打ち抜き完了後上昇し初期位置に戻る。（ＳＴ１５）
以上説明したように、パンチがシートに当接してから少なくとも接着層まで打ち抜きが進むまでの打ち抜き中に、接着層に発生する応力を開口から解放するので、切断面からの接着剤のはみ出しを防止し、ヒゲの発生を防止することが可能となる。
【０１１１】
以上説明したように、本発明により、ヒゲの発生のない高品質なカードを、高生産性で、簡単且つ小型な装置で提供可能となる。
【図面の簡単な説明】
【０１１２】
【図１】従来の打ち抜きを説明する図である。
【図２】ＩＣカードシート、及びＩＣモジュール、及びＩＣカードを示す説明図である。
【図３】ＩＣカードをパンチ／ダイにより打ち抜いている状態を説明する図である。
【図４】カードの打ち抜き装置の平面図である。
【図５】図４のＡ−Ａ断面図である。
【図６】パンチの高さを変えた、カードの打ち抜き装置の説明図である。
【図７】ストリッパーとカードの受け台を設けた、カードの打ち抜き装置の説明図である。
【図８】図７のストリッパー部の拡大図である。
【図９】カードの打ち抜き装置のスリット打ち抜き手段でシートに開口をあける実施形態の説明図である。
【図１０】カードの打ち抜き方法の一例を示すフロー図である。
【符号の説明】
【０１１３】
１  カードの打ち抜き装置
１００  下型
１０１  下型基板
１０２  ダイ
１０３  ダイ孔部
１１１  位置決め手段
１５０  上型
１５１  上型基板
１５２  パンチ
３０５  開口
Ｃ  カード
Ｓ  カードシート
【図１】
2006175548.tif 000002
【図２】
2006175548.tif 000003
【図３】
2006175548.tif 000004
【図４】
2006175548.tif 000005
【図５】
2006175548.tif 000006
【図６】
2006175548.tif 000007
【図７】
2006175548.tif 000008
【図８】
2006175548.tif 000009
【図９】
2006175548.tif 000010
【図１０】
2006175548.tif 000011